(57)【特許請求の範囲】
【請求項１】
ブラインド（１０）のヘッドボックス（１２）に該ヘッドボックス（１２）を覆い隠すバランス（２２）を取り付けるためのバランスブラケット（２４）であって、
バランスブラケット（２４）は、ヘッドボックス（１２）に係合されると共にヘッドボックス（１２）を上方から押圧可能な押圧部（２６ａ）を有するブラケット本体（２６）と、バランス（２２）の後面に固定されると共にヘッドボックス（１２）を下方から押圧可能な押圧部（２８ａ）を有するブラケットガイド（２８）と、から構成され、ブラケット本体（２６）とブラケットガイド（２８）とが互いに螺着してヘッドボックス（１２）を上方及び下方から挟み付けることで、ヘッドボックス（１２）に取り付けられるものであることを特徴とするバランスブラケット。
【請求項２】
ブラケット本体（２６）は、ブラインド（１０）が取り付けられる天井等の取付面（２０）と該取付面（２０）にブラインド取付用ブラケット（１８）を介して取り付けられるヘッドボックス（１２）の上面との間の隙間を利用してヘッドボックス（１２）に係合されるものである請求項１記載のバランスブラケット。
【請求項３】
ブラケット本体（２６）は、ブラインド（１０）が取り付けられる天井等の取付面（２０）と該取付面（２０）にブラインド取付用ブラケット（１８）を介して取り付けられるヘッドボックス（１２）の上面との間の隙間内に、正規の姿勢から回転された姿勢で挿入可能となっており、隙間内に挿入されたブラケット本体（２６）は、該隙間内で前記回転された姿勢から正規の姿勢へと回転可能である請求項２記載のバランスブラケット。
【請求項４】
前記ブラケット本体（２６）には、被係止部（２６ｅ）が形成され、前記ブラケットガイド（２８）には、該被係止部（２６ｅ）に係止可能な係止部（２８ｅ）が形成され、ブラケットガイド（２８）の係止部（２８ｅ）が被係止部（２６ｅ）に係止することでブラケットガイド（２８）がブラケット本体（２６）に仮保持可能である請求項１ないし３のいずれか１項に記載のバランスブラケット。
【請求項５】
前記ブラケットガイド（２８）の押圧部（２８ａ）は、ヘッドボックス（１２）の下面に接触する水平面である請求項１ないし４のいずれか１項に記載のバランスブラケット。
【発明の詳細な説明】
【０００１】
【発明の属する技術分野】
本発明は、ブラインドのヘッドボックスに、ヘッドボックスの前面または前面及び側面を覆い隠すバランスを取り付けるためのバランスブラケットに関するものである。
【０００２】
【従来の技術】
従来、この種のバランスブラケットとしては、特開平１０−２２０１４０号公報に記載されたものがある。これによれば、バランスブラケットは、ヘッドボックスの前面に固定されるブラケット本体と、バランスの後面に固定されるブラケットガイドと、から構成され、ブラケットガイドの係止片をブラケット本体の開口部に係止させ、ブラケットガイドの下面に形成した貫通孔を挿通したネジをブラケット本体のネジ孔に螺着することによって、ブラケットガイドをブラケット本体に固定し、よって、ヘッドボックスの前面にバランスを取り付けることができるようにしている。そして、このようなバランスブラケットの構成により、ブラインドの取付後に、バランスをヘッドボックスに仮止めしつつ取付作業を行うことができるという効果を有している。
【０００３】
【発明が解決しようとする課題】
しかしながら、上記のようなバランスブラケットでは、ヘッドボックス前面にブラケット本体を固定しなければならない。そのために、ヘッドボックス前面にブラケット本体を固定するためのビス孔を予め設ける必要がある。
【０００４】
そのため、バランスを取り付けない場合には、ビス孔が露出して見栄えが悪くなるという問題が発生する。また、バランスブラケットの取付位置が固定してしまうために、バランスブラケットを異なる位置に取り付けたい場合でも、自由度がない。
【０００５】
かかる問題を回避するために、ブラインド発注時に、バランスを取り付けるかどうかを確認して、バランスを取り付ける製品については予めヘッドボックス前面にブラケット本体を固定して出荷し、バランスを取り付けない製品についてはヘッドボックス前面に何らの加工もせず出荷することも考えられる。
【０００６】
しかしながらバランスを取り付けない製品として出荷された場合、ブラインド発注後、特に、ヘッドボックスを天井面等の取付面に取り付けてしまった後に、バランスを改めて取り付けることが希望されたとしても、ビス孔などの加工がヘッドボックスに予め施されていないために、簡単にはバランスをヘッドボックスに取り付けることができないという問題がある。
【０００７】
本発明はかかる課題に鑑みなされたもので、ヘッドボックスに孔加工などを施す必要がなく、後からヘッドボックスにバランスを簡単に取り付けることができるようになり、その取付位置の自由度も確保することができるバランスブラケットを提供することをその目的とする。
【０００８】
【課題を解決するための手段】
前述した目的を達成するために、請求項１記載の発明は、ブラインドのヘッドボックスに該ヘッドボックスを覆い隠すバランスを取り付けるためのバランスブラケットであって、バランスブラケットは、ヘッドボックスに係合されると共にヘッドボックスを上方から押圧可能な押圧部を有するブラケット本体と、バランスの後面に固定されると共にヘッドボックスを下方から押圧可能な押圧部を有するブラケットガイドと、から構成され、ブラケット本体とブラケットガイドとが互いに螺着してヘッドボックスを上方及び下方から挟み付けることで、ヘッドボックスに取り付けられるものであることを特徴とする。
【０００９】
バランスブラケットを、ヘッドボックスに直接ネジ等の結合手段によって固定せずに、ヘッドボックスを上方から押圧可能な押圧部を有するブラケット本体と、ヘッドボックスを下方から押圧可能な押圧部を有するブラケットガイドとを、互いに螺着することにより、ヘッドボックスを上方及び下方から挟み付けることで、ヘッドボックスに取り付ける。こうして、ブラケットガイドが固定されたバランスを、ヘッドボックスに取り付けることができる。ブラケット本体を、ヘッドボックスにネジ等の結合手段によって固定しないために、孔加工をヘッドボックスに施す必要がなく、作業が容易で、且つ出荷後にヘッドボックスが天井面等の取付面に取り付けられた後でもヘッドボックスを取り外すことなく、簡単にバランスをヘッドボックスに取り付けることができるようになる。また、ブラケット本体の係合位置も孔位置などに左右されることなく、自由に設定することができるようになる。
【００１０】
また、請求項２記載の発明は、請求項１記載のブラケット本体が、ブラインドが取り付けられる天井等の取付面と該取付面にブラインド取付用ブラケットを介して取り付けられるヘッドボックスの上面との間の隙間を利用してヘッドボックスに係合されるものであることを特徴とする。ヘッドボックスと天井等の取付面との間の隙間を利用してブラケット本体をヘッドボックスに係合することができるため、ヘッドボックスが天井等の取付面に既に取り付けられている場合であっても、後から、簡単にバランスをヘッドボックスに取り付けることができる。
【００１１】
また、請求項３記載の発明は、請求項２記載のブラケット本体が、ブラインドが取り付けられる天井等の取付面と該取付面にブラインド取付用ブラケットを介して取り付けられるヘッドボックスの上面との間の隙間内に、正規の姿勢から回転された姿勢で挿入可能となっており、隙間内に挿入されたブラケット本体は、該隙間内で前記回転された姿勢から正規の姿勢へと回転可能であることを特徴とする。ブラケット本体は、ヘッドボックスと天井等の取付面との間の隙間内に回転された状態で挿入され、そこで、回転してブラケット本体は正規の姿勢となりヘッドボックスに係合する。従って、ヘッドボックスと天井等の取付面との間の隙間が小さくても、ブラケット本体をヘッドボックスに係合することができるようになり、ヘッドボックスが天井等の取付面に既に取り付けられている場合であっても、後から、簡単にバランスをヘッドボックスに取り付けることができるようになる。
【００１２】
また、請求項４記載の発明は、請求項１ないし３のいずれかに記載の前記ブラケット本体に被係止部が形成され、前記ブラケットガイドには、該被係止部に係止可能な係止部が形成され、ブラケットガイドの係止部が被係止部に係止することでブラケットガイドがブラケット本体に仮保持可能であることを特徴とする。取付作業時に、ブラケットガイドの係止部をブラケット本体の被係止部に係止させてブラケットガイドをブラケット本体に仮保持させることで、ブラケットガイドに固定されたバランスをヘッドボックスに仮保持させることができる。この状態で、ブラケット本体とブラケットガイドとの螺着作業を行うことにより、作業中にバランスを押さえる必要がなく、作業を非常に簡単に行うことができる。
【００１３】
また、請求項５記載の発明は、前記ブラケットガイドの押圧部は、ヘッドボックスの下面に接触する水平面であることを特徴とする。バランス取付後に、バランスの重量によりバランスを転倒させるモーメントが仮に作用したとしても、ブラケットガイドの水平面がヘッドボックスの下面を押圧するために、かかる転倒を防止し、安定してバランスを保持することができる。
【００１４】
【発明の実施の形態】
以下、図面を用いて本発明の実施の形態を説明する。
【００１５】
図１は本発明の実施形態に係るバランスブラケットによってバランスが取り付けられたブラインドを表す斜視図、図２は図１のバランスを取り外した状態の分解斜視図である。図において、１０はブラインドであり、ブラインド１０のヘッドボックス１２からはラダーコード１４によって多数のスラット１６が支持されている。このヘッドボックス１２は、ブラインド取付用ブラケット１８によって天井面等の取付面２０に取り付けられている。ヘッドボックス１２の前面には、板状のバランス２２が、バランスブラケット２４によって取り付けられており、ヘッドボックス１２の前面を覆い隠している。バランスブラケット２４は、１つ以上、好ましくはヘッドボックス１２の長手方向に間隔を開けて複数個、使用されるとよい。
【００１６】
図２及び図３に示したように、バランスブラケット２４は、ヘッドボックス１２に単独で係合されヘッドボックス１２を上方から押圧可能な押圧面２６ａを有するブラケット本体２６と、バランス２２の後面に固定されヘッドボックス１２を下方から押圧可能な押圧面２８ａを有するブラケットガイド２８とから構成される。
【００１７】
ブラケット本体２６は、好ましくは金属製で、板材をコ字状に折曲したものからなり、その板材の横幅は、ブラインド取付用ブラケット１８の高さ寸法とほぼ同じか、好ましくは小さくなっている。従って、取付面２０が天井面であり、ヘッドボックス１２が天井面にブラインド取付用ブラケット１８によって取り付けられた場合に、ヘッドボックス１２の上面と天井面との間に形成される隙間を、ブラケット本体２６は横向きの姿勢で挿入・移動することができる。ブラケット本体２６のコ字状形状は、ヘッドボックス１２の上面と、前面及び後面の一部の寸法に適合するような形状となっている。即ち、ブラケット本体２６のコ字状形状の中央の部分は、ヘッドボックス１２の上方からその上面に重なり上面を押圧可能な押圧面２６ａとなっており、ブラケット本体２６のコ字状形状の一対の腕部２６ｂ１、２６ｂ２は、ヘッドボックス１２の上方からその前面及び後面の一部に重なる。こうして、ブラケット本体２６は、ヘッドボックス１２の上面と前面及び後面の一部を挟んでヘッドボックス１２に係合する。また、ヘッドボックス１２の前面に重なるブラケット本体２６の一方の腕部２６ｂ１の下端部からは、前方方向へと突出する水平面２６ｃが形成されており、その水平面２６ｃには、ネジ孔２６ｄが形成されている。また、この水平面２６ｃの周辺端部からは、上方に伸びる壁が立設されており、これらの壁によって囲まれる部分は、上方に開口した開口部２６ｅ（被係止部）となっている。
【００１８】
一方のブラケットガイド２８は、好ましくは金属製で、板材をＬ字状形状に折曲したものからなる。そして、ブラケットガイド２８のＬ字状形状の上側に位置する垂直面２８ｂが、ネジ２９、２９によってバランス２２の後面に固定されている。また、ブラケットガイド２８のＬ字状形状の下側に位置する水平な押圧面２８ａは、後方へと伸びて、ヘッドボックス１２の下方からヘッドボックス１２の下面を押圧可能となっている。この押圧面２８ａは、ヘッドボックス１２の下面と可能な限り広い面積で接触できるような大きさとなっているとよい。押圧面２８ａの垂直面２８ｂ付近には、ネジが挿通するための挿通孔２８ｃが形成されている。また、垂直面２８ｂの先端からは水平方向後方に突出した水平面２８ｄが形成されており、水平面２８ｄの先端には下方へ折り曲げられた係止部２８ｅが形成される。
【００１９】
以上のように構成されるバランスブラケット２４を用いて、バランス２２をヘッドボックス１２に取り付ける作業について図４及び図５を用いて、説明する。この場合、ヘッドボックス１２は、既に取付面２０にブラインド取付用ブラケット１８によって取り付けられている状態であるとする。バランス２２には、予め前記ブラケットガイド２８をネジ２９、２９によって固定しておく。
【００２０】
次に、ヘッドボックス１２の適当な位置に適当な個数の前記ブラケット本体２６を係合する作業を行う。この際に、取付面２０が天井面である場合には、前述のように、ブラケット本体２６を横向きの姿勢にして、ヘッドボックス１２と天井面の間に形成された隙間に挿入する。そして、ブラケット本体２６の一方の腕部２６ｂ１が前面に位置し、他方の腕部２６ｂ２が後面に位置するようにして、ブラケット本体２６を完全にヘッドボックス１２と天井面との間の隙間に挿入した後、ブラケット本体２６を回転して横向きから正規の姿勢に戻す（図４及び図５（ａ）参照）。これにより、ブラケット本体２６の一対の腕部２６ｂ１、２６ｂ２がヘッドボックス１２の上方から前面及び後面の一部と重なり、ブラケット本体２６の押圧面２６ａがヘッドボックス１２の上方から上面に重なり、ブラケット本体２６がヘッドボックス１２に係合する。こうして、ネジ等の結合手段を使用せずとも、ブラケット本体２６はヘッドボックス１２に対して簡単には脱落することなく、仮固定される。尚、ヘッドボックス１２の上方に十分な空間がある場合には、ブラケット本体２６を横向きにせずとも、ブラケット本体２６を正規の姿勢で、ヘッドボックス１２の上方から係合してもよい。
【００２１】
次に、図５（ｂ）に示したように、ブラケットガイド２８の水平面２８ｄの係止部２８ｅを、対応するブラケット本体２６の開口部２６ｅに係止する。これにより、バランス２２は脱落せずにヘッドボックス１２に仮保持された状態となる。ここで、バランス２２には、その重量により図５上、時計回りのモーメントが作用して転倒しようとするが、ブラケットガイド２８の係止部２８ｅが開口部２６ｅに係止しているために、かかる方向の転倒は防止され、確実に仮保持されることとなる。
【００２２】
次に、ブラケットガイド２８の挿通孔２８ｃとブラケット本体２６のネジ孔２６ｄの位置を整合させて、ネジ３０を下方から挿通孔２８ｃに挿通して、ブラケット本体２６のネジ孔２６ｄに螺着していく（図５（ｃ））。これにより、ブラケット本体２６とブラケットガイド２８とが接近し、ブラケット本体２６の押圧面２６ａがヘッドボックス１２の上面を押圧し、ブラケットガイド２８の押圧面２８ａがヘッドボックス１２の下面を押圧し、両者でヘッドボックス１２を挟み付ける。これにより、バランスブラケット２４がヘッドボックス１２に固定されて、結果として、バランス２２がヘッドボックス１２に取り付けられる（図５（ｄ））。
【００２３】
バランスブラケットの構造は、図３に示すものに限るものではなく、図６に示すバランスブラケット２４’とすることもできる。図６では、バランスブラケット２４’のブラケット本体２６’は、開口部２６ｅを省略しており、腕部２６ｂ２’の長さを短くし、ヘッドボックス１２の後面と重なり合う長さを短くしている。一方のブラケットガイド２８’は、押圧面２８ａ’の先端がヘッドボックス１２の後面まで伸びて、押圧面２８ａ’の先端から垂直に立ち上がる第２垂直面２８ｆが形成されており、この第２垂直面２８ｆは、ヘッドボックス１２の後面と重なり合うものとなっている。また、垂直面２８ｂの先端から水平方向後方に突出した水平面２８ｄには、ネジ３１が挿通するための挿通孔２８ｇが形成されている。
【００２４】
図６に示したバランスブラケット２４’を用いてバランス２２をヘッドボックス１２に取り付ける場合、ヘッドボックス１２の適当な位置にブラケット本体２６’をヘッドボックス１２の上方から係合する。この係合のやり方は、図５に示したものと同じように、ヘッドボックス１２と天井面との間の隙間が小さいときには、ブラケット本体２６’を横向きにして、ヘッドボックス１２と天井面との間の隙間に挿入した後、ブラケット本体２６’を回転させて、ブラケット本体２６’の一方の腕部２６ｂ１が前面に位置し、他方の腕部２６ｂ２’が後面に位置するように、正規の姿勢に戻してもよく、または、ヘッドボックス１２の上方に十分な空間がある場合には、ブラケット本体２６’を正規の姿勢で、ヘッドボックス１２の上方から係合してもよい（図７（ａ））。
【００２５】
次に、バランス２２に固定されたブラケットガイド２８’の押圧面２８ａ’を、ヘッドボックス１２と最上段のスラット（図示せず）との間の隙間から、ヘッドボックス１２の下面に平行に正面から差し込んでいく（図７（ｂ））。
【００２６】
次に、ブラケットガイド２８’の挿通孔２８ｃとブラケット本体２６’のネジ孔２６ｄの位置を整合させて、ネジ３１を下方から挿通孔２８ｃに挿通して、ブラケット本体２６’のネジ孔２６ｄに螺着していく（図７（ｃ））。螺着が進むに連れて、ネジ３１が挿通孔２８ｇも挿通し、これにより、ブラケット本体２６’とブラケットガイド２８’とが接近し、両者でヘッドボックス１２を挟み付ける。これにより、バランスブラケット２４’がヘッドボックス１２に固定されて、結果として、バランス２２がヘッドボックス１２に取り付けられる（図７（ｄ））。
【００２７】
以上説明したように、バランスブラケット２４、２４’がヘッドボックス１２を挟み付けて取り付けられる構成であるため、ヘッドボックス１２に孔加工を施す必要がなく、また、ヘッドボックス１２が取付面２０に取り付いた状態でもヘッドボックス１２を取付面２０から取り外すことなく、後から簡単に後付けすることができるようになり、バランスブラケット２４、２４’のヘッドボックス１２への取付位置も自由に設定することができる。
【００２８】
また、バランス２２がバランスブラケット２４、２４’によってヘッドボックス１２に取り付けられた後では、バランス２２の重量により図５または図７上、時計回りのモーメントが作用しても、ブラケットガイド２８、２８’の押圧面２８ａ、２８ａ’がヘッドボックス１２の下面を押圧して、かかるモーメントを受けるために、バランス２２の転倒等を確実に防止することができる。
【００２９】
【発明の効果】
以上説明したように、本発明のバランスブラケットを用いることにより、ヘッドボックスに孔加工などを施す必要がなく、後からヘッドボックスにバランスを簡単に取り付けることができるようになり、その取付位置の自由度も確保することができる。
【図面の簡単な説明】
【図１】本発明の実施形態に係るバランスブラケットによってバランスが取り付けられたブラインドを表す斜視図である。
【図２】図１のバランスを取り外した状態の分解斜視図である。
【図３】バランスブラケットの実施形態を表す分解斜視図である。
【図４】図３のバランスブラケットを用いてバランスの取付作業手順を表す説明斜視図である。
【図５】図３のバランスブラケットを用いてバランスの取付作業手順を表す説明断面図である。
【図６】バランスブラケットの他の実施形態を表す分解斜視図である。
【図７】図６のバランスブラケットを用いてバランスの取付作業手順を表す説明断面図である。
【符号の説明】
１０  ブラインド
１２  ヘッドボックス
１８  ブラインド取付用ブラケット
２０  取付面
２２  バランス
２６  ブラケット本体
２６ａ  押圧面（押圧部）
２６ｅ  開口部（被係止部）
２８  ブラケットガイド
２８ａ  押圧面（押圧部）
２８ｅ  係止部
【図１】
0003762890.tif 000002
【図２】
0003762890.tif 000003
【図３】
0003762890.tif 000004
【図４】
0003762890.tif 000005
【図５】
0003762890.tif 000006
【図６】
0003762890.tif 000007
【図７】
0003762890.tif 000008